(57)【特許請求の範囲】
【請求項１】
ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端両側は前記肩ベルトの一端部近辺に着脱自在に接続された補助ホルダより成り、この補助ホルダは少なくともその両側部が伸縮性を有する柔軟なシートによって形成され、前記ベースシートに対して補助ホルダの両端部以外は遊離して重なり合うようにし、かつ前記補助ホルダは幅方向に折り曲げられて係止具により長さが縮小した状態を保持し、この係止具の解除によって縮小した状態から解放され、前記腰ベルトからほぼ直交して延びる一対の補助バンドと補助ホルダの他端両側を接続可能とした子守帯。
【請求項２】
前記一対の肩ベルトの一方から他方に両者の間隔を制限するバンドを掛け渡し、このバンドの中途部分にバンドを連続または不連続にする係脱可能の係止具を設け、前記バンドの長さを調整可能かつ肩ベルトの長さ方向に対する位置を調整可能にした請求項１に記載の子守帯。
【請求項３】
前記脇ベルトが長さ調整可能である請求項１または２に記載の子守帯。
【請求項４】
前記ベースシートの一端は比較的短い長さで幅方向に折り曲げて係止具により係止可能になっており、他端は両側から長さ方向に折り曲げてそれぞれ係止具により係止し幅を狭くできるようになっている請求項１〜３のいずれかに記載の子守帯。
【請求項５】
前記ベースシートは通気性シートを取り囲む枠体より成る請求項１〜４のいずれかに記載の子守帯。
【請求項６】
ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端の両側突出部が前記肩ベルトの一端部近辺に着脱自在に接続されたシート状補助ホルダと、前記腰ベルトから補助ホルダの方向に延びる一対の補助バンドと、ボックス体より成る子守帯であって、このボックス体はほぼ長方形状のベースパネルと、その両側縁に屈曲自在に接続された側面パネルと、前記ベースパネルの一端縁に屈曲自在に接続されたボトムパッドと、このボトムパッドから延びる腹当てシートと、前記ベースパネルの他端縁から延びるフードシートと、前記側面パネルを起立させたときに両側面パネルの間隔を保持するために両側面パネルを繋ぐバンドと、前記それぞれの側面パネルの外面の両端部近辺に一対のループとを備え、前記フードシートは両側面パネルの一端部上面に折り返して両側面シートの一端部上面を覆うように係止可能とし、前記腹当てシートは両側面シートの他端部上面に折り返して両側面シートの他端部上面を覆うように係止可能とし、前記ベースシートに重ね合せられた補助ホルダの前記他端の両側突出部が一方の側面パネルの前記一対のループにそれぞれ挿通されて前記肩ベルトの一端部近辺に係止され、他方の側面パネルの前記一対のループに脇ベルトがそれぞれ挿通されて前記補助バンドとそれぞれ係止して、前記ボックス体を補助ホルダの横方向に装着可能とした子守帯。
【請求項７】
ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端の両側突出部が前記肩ベルトの一端部近辺に着脱自在に接続されたシート状補助ホルダと、ボックス体より成る子守帯であって、このボックス体はほぼ長方形状のベースパネルと、その両側縁に屈曲自在に接続された側面パネルと、前記ベースパネルの一端縁に屈曲自在に接続されたボトムパッドと、このボトムパッドから延びる腹当てシートと、前記側面パネルを起立させたときに両側面パネルの間隔を保持するために両側面パネルを繋ぐバンドと、前記それぞれの側面パネルの外面に一端が固着され他端が着脱自在のループとを備え、それぞれのループを前記肩ベルトの一端近辺に巻回して前記ボックス体を補助ホルダに縦方向に装着可能とした子守帯。
【発明の詳細な説明】
【技術分野】
【０００１】
この発明は、新生児から幼児にいたる比較的長い期間にわたって横抱きや縦抱きなどの様々な態様で安全に使用できる子守帯に関する。
【背景技術】
【０００２】
この種の子守帯によって、特に首や腰の座りが不安定な新生児、乳幼児を安全に子守りできるものが望まれている。例えば、特許文献１には、背中部保持部材とその上端部に設けた頭部保護パッド（図８、図９）によって、幼児の保護を企図する子守帯が開示されている。しかしながら、乳幼児を仰臥させる背中部保持部材は平坦な板状部材より成るため、絶えず移動して位置が定まらない乳幼児を背中部保持部材に載置し、さらに腹部保持部材で拘束したとしても、側面の大部分が開放されているので、乳幼児の身体を安定して保持するのが非常に難しく、さらに乳幼児を子守帯に保持して抱き上げ、使用者が装着するまでの作業を単独で行なうことは非常に困難であって、人手を借りなければ出来ないことは、しばしば経験されているところである。
【０００３】
特許文献２にも同様の子守帯が開示され、この横抱き用シート（段落００５４〜００５９、図２２、２３、２４）も上記と同様の問題点を有する。
【先行技術文献】
【特許文献】
【０００４】
【特許文献１】特開２００４−１８１２６８号公報
【特許文献２】特開２００７−２６８０７４号公報
【特許文献３】特開２０１３−８５５６７号公報
【発明の概要】
【発明が解決しようとする課題】
【０００５】
そこで、この発明の課題は、人手を借りずに使用者単独で子守帯を簡単に装着することができ、かつ乳幼児を安全に保護することができるようにすることである。
【課題を解決するための手段】
【０００６】
上記の課題を解決するために、この発明においては、ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端両側は前記肩ベルトの一端部近辺に着脱自在に接続された補助ホルダとによって子守帯を構成し、この補助ホルダは少なくともその両側部が伸縮性を有する柔軟なシートによって形成され、前記ベースシートに対して補助ホルダの両端部以外は遊離して重なり合うようにし、かつ幅方向に折り曲げられて係止具によって長さが縮小した状態を保持し、係止具の解除によって縮小した状態から解放され、前記腰ベルトからほぼ直交して延びる一対の補助バンドと前記補助ホルダの他端両側とを接続できるようにしたのである。
【０００７】
前記一対の肩ベルトの一方から他方に両者の間隔を制限するバンドを掛け渡し、このバンドの中途部分にバンドを連続または不連続にする係脱可能の係止具を設け、前記バンドの長さを調整可能かつ肩ベルトの長さ方向に対する位置を調整可能にしておくのがよい。前記脇ベルトも長さを調整できるようにしておくのが好ましい。また、前記ベースシートの一端は比較的短い長さで幅方向に折り曲げて係止具により係止可能になっており、他端は両側から長さ方向に折り曲げてそれぞれ係止具により係止し幅を狭くできるようになっている。このベースシートは通気性シートを取り囲む枠体によって形成するのが好ましい。
【０００８】
この発明の子守帯を新生児に適用する場合には、ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端の両側突出部が前記肩ベルトの一端部近辺に着脱自在に接続されたシート状補助ホルダと、前記腰ベルトから補助ホルダの方向に延びる一対の補助バンドと、ボックス体とによって子守帯を構成し、このボックス体を、ほぼ長方形状のベースパネルと、その両側縁に屈曲自在に接続された側面パネルと、前記ベースパネルの一端縁に屈曲自在に接続されたボトムパッドと、このボトムパッドから延びる腹当てシートと、前記ベースパネルの他端縁から延びるフードシートと、前記側面パネルを起立させたときに両側面パネルの間隔を保持するために両側面パネルを繋ぐバンドと、前記それぞれの側面パネルの外面の両端部近辺に設けられた一対のループとによって形成し、前記フードシートは両側面パネルの一端部上面に折り返して両側面シートの一端部上面を覆うように係止可能とし、前記腹当てシートは両側面シートの他端部上面に折り返して両側面シートの他端部上面を覆うように係止可能とし、前記ベースシートに重ね合せられた補助ホルダの前記他端の両側突出部を一方の側面パネルの前記一対のループにそれぞれ挿通して前記肩ベルトの一端部近辺に係止し、他方の側面パネルの前記一対のループに脇ベルトをそれぞれ挿通して前記補助バンドとそれぞれ係止し、前記ボックス体を補助ホルダの横方向に装着可能とした子守帯が用いられる。
【０００９】
さらに、他の適用例として、ほぼ縦長長方形状のベースシートと、その一端縁に沿って固着された腰ベルトと、前記ベースシートの他端両側部に一端が固着された一対の肩ベルトと、肩ベルトの他端から延びて前記ベースシートの側縁中途部分にそれぞれ着脱自在に接続された脇ベルトと、前記ベースシートの一端縁に一端が固着され他端の両側突出部が前記肩ベルトの一端部近辺に着脱自在に接続されたシート状補助ホルダと、ボックス体とによって子守帯を構成し、このボックス体を、ほぼ長方形状のベースパネルと、その両側縁に屈曲自在に接続された側面パネルと、前記ベースパネルの一端縁に屈曲自在に接続されたボトムパッドと、このボトムパッドから延びる腹当てシートと、前記側面パネルを起立させたときに両側面パネルの間隔を保持するために両側面パネルを繋ぐバンドと、前記それぞれの側面パネルの外面に一端が固着され他端が着脱自在のループとによって形成し、それぞれのループを前記肩ベルトの一端近辺に巻回して前記ボックス体を補助ホルダに縦方向に装着可能とした子守帯が用いられる。
【発明の効果】
【００１０】
この発明によれば、以上のように、補助ホルダが設けられているので、予め幼児を子守帯に保持することができ、人手を借りずに使用者単独で簡単に幼児と共に子守帯を装着することができ、装着後も安全に幼児を保護することができる。さらに、新生児を包囲するボックス体を使用すると、首や腰の不安定な新生児も安全に子守することができる。
【図面の簡単な説明】
【００１１】
【図１】子守帯の実施形態を示す正面図、
【図２】子守帯の部分拡大正面図、
【図３】（Ａ）は補助ホルダを展延した状態を示す縦断面図、（Ｂ）は縮小した状態を示す縦断面図、
【図４】ベースシートの裏面図、
【図５】（Ａ）は雄雌バックルを示す平面図、（Ｂ）は雄雌バックルを係止した状態を示す平面図、
【図６】（Ａ）はスライドバックルとバンドとの接続状態を示す断面図、（Ｂ）は雄雌バックルのバンドとの接続状態を示す断面図、
【図７】（Ａ）は他のスライドバックルの例を示す平面図、（Ｂ）は同上の横断面図、
【図８】背おい抱きの準備手順を示す子守帯の正面図、
【図９】同上の幼児を保持した状態を示す正面図、
【図１０】背おい抱きにおける子守帯の装着状態を示す斜視図、
【図１１】対面抱きの準備手順を示す子守帯の正面図、
【図１２】対面抱きの使用者の準備手順を示す斜視図、
【図１３】同上の次の準備手順を示す斜視図、
【図１４】幼児を抱き上げた状態を示す斜視図、
【図１５】同上の最終手順を示す背面図、
【図１６】対面抱きにおける子守帯の装着状態を示す斜視図、
【図１７】前面抱きの準備手順を示す子守帯の正面図、
【図１８】前面抱きの使用者の準備手順を示す斜視図、
【図１９】前面抱きにおける子守帯の装着状態を示す斜視図、
【図２０】座り抱きの準備手順を示す正面図、
【図２１】座り抱きにおける子守帯の装着状態を示す斜視図、
【図２２】ボックス体の展開外面図、
【図２３】ボックス体の展開内面図、
【図２４】ボックス体の平面図、
【図２５】ボックス体の側面図、
【図２６】ボックス体を子守帯に横方向に装着する手順を示す部分拡大斜視図、
【図２７】同上のさらなる手順を示す正面図、
【図２８】ボックス体を横方向に備えた子守帯を装着した状態を示す斜視図、
【図２９】新生児をボックス体内に保持した状態を示す正面図、
【図３０】同上のボックス体を縦方向に子守帯に装着する手順を示す正面図、
【図３１】同上の子守帯を使用者が装着する手順を示す斜視図、
【図３２】ボックス体を縦方向に備えた子守帯を装着した状態を示す斜視図である。
【発明を実施するための形態】
【００１２】
以下、この発明の実施形態を添付図面に基づいて説明する。図１に示すように、子守帯１０は、略縦長長方形状のバックシート１１と、このバックシート１１の下端縁に沿って固着された腰ベルト２１と、バックシート１１の上端コーナ部に固着された一対の肩ベルト３１、３１を備えている。前記バックシート１１は、メッシュ地などから成る通気性シート１２の周囲を伸縮性の少ない厚手の織布などで形成された枠１３で取り囲み、上端部に雄スナップボタン列１４ａと雌スナップボタン列１４ｂ（裏面に）が設けられ、これらを係合することによって二つ折りできるようにしてある。この折り曲げ長さは１．５ｃｍ〜４ｃｍ程度の比較的短い長さでよい。またシート１１の下端コーナ部には、一対の舌片１５、１５が形成され、この舌片１５、１５の先端部には、スナップボタン１５ａ、１５ａがそれぞれ取り付けられ、腰ベルト２１に設けられたスナップボタン（後述）に係合している。この腰ベルト２１は、可撓性はあるが伸縮性の小さい材料を芯材としてクッション性の高い発泡合成樹脂シートが積層され、一端には、長さ調整可能なバンド２２を介して雄バックル２２ａが取り付けられ、他端の外面には、雌バックル２２ｂが取り付けられて、前記雄バックル２２ａを雌バックル２２ｂに挿入することにより係合可能になっている。また、腰ベルト２１の内面中央部にはポケット２３が設けられ、このポケット２３の開口部上方に、前記バックシート１１の舌片１５、１５に固着されたスナップボタン１５ａ、１５ａが係合する一対のスナップボタン２５ｂ、２５ｂが設けられている。
【００１３】
前記一対の肩ベルト３１、３１の先端には、雌バックル３１ｂがそれぞれ固着され、この雌バックル３１ｂと、脇ベルト３２、３２の中途部分にそれぞれスライド可能に取り付けられた雄バックル３２ａとが着脱自在に連結されている。この脇ベルト３２の一端には、雌バックル３２ｂが固着され、前記バックシート１１の側縁上半部に固着された雄バックル１６ａと着脱可能に係合し、肩ベルト３１と脇ベルト３２によって肩掛け手段３３が形成されている。そして脇ベルト３２の他端は、図示のように雄バックル３２ａからフリーに垂れ下り、この自由端３２ｃを引張りまたは緩めることによって、前記肩掛け手段３３のループの大きさを調整できるようになっている。なお、前記雄バックル１６ａと雌バックル３２ｂの係合部を被う袋状カバー１６を設けておくのが好ましい。
【００１４】
前記肩ベルト３１、３１の外面には、その長さ方向に沿ってガイドバンド３４、３４が取り付けられている。このガイドバンド３４は、両端が肩バンド３１に固着され、それ以外の部分は肩バンド３１から遊離しており、この遊離部分にスライドバックル３４ａが取り付けられ、ガイドバンド３４に沿ってスライド可能になっている。そして一方のスライドバックル３４ａには、前記肩ベルト３１、３１の間隔を制限するバンド３５の一端が固着され、他方のスライドバックル３４ａにはバンド３６の一端が固着されている。一方のバンド３５には、雄バックル３５ａがスライド可能に取り付けられ、バンド３５の他端はフリーになっている。他方のバンド３６の他端には雌バックル３６ｂが固着されており、この雌バックル３６ｂは前記スライド雄バックル３５ａと係脱可能になっている。即ち雄バックル３５ａと雌バックル３６ｂを係合することによってバンド３５と３６は連結され、肩ベルト３１、３１の間隔を制限して、肩ベルト３１、３１が身体の肩部から外れるのを防止する。また、スライド雄バックル３５ａを移動させて間隔を調整することができ、スライドバックル３４ａ、３４ａをガイドバンド３４、３４に沿って移動させることによって、間隔制限バンド３５、３６の位置を調整することができる。
【００１５】
図２に示すように、前記バックシート１１の内面には、略Ｙ字状のシート状補助ホルダ４１が張設されている。この補助ホルダ４１の下縁はバックシート１１の下縁に沿って固着され、他はバックシート１１から遊離している。このＹ字状補助ホルダ４１上端の一対の突出部４２、４２には、雌バックル４２ｂ、４２ｂが取り付けられている。一方肩ベルト３１、３１とバックシート１１との接続部近辺に一対の雄バックル３７ａ、３７ａが固着され、前記雌バックル４２ｂ、４２ｂとそれぞれ係脱可能になっている。これらのバックル４２ｂ、４２ｂと３７ａ、３７ａを係合することによって、補助ホルダ４１は、バックシート１１内面に重ね合わされた状態でバックシート１１に保持される。なお、前記雄雌バックル３７ａ、４２ｂの係合部を伸縮性のあるカバー３７で被っておくのが好ましい。硬質のバックルが幼児に直接当たるのを防止するためである。
【００１６】
図３に示すように、前記補助ホルダ４１の中途部分には、スライドファスナの雄部材４３ａと雌部材４３ｂが横断方向に間隔をあけて固着されている。この雄部材４３ａと雌部材４３ｂをスライダ（図示せず）によって係合すると、図３（Ｂ）に示すように、補助ホルダ４１の縦方向長さが縮小し、係合を解くと図３（Ａ）のように展延する。図２はスライドファスナを係合して補助ホルダ４１を縮小した状態を示し、この状態で補助ホルダ４１は、後述するように幼児の下腹部から胸部を被覆するのに適した大きさに形成されている。なお、補助ホルダ４１の両側縁に中空ギャザ４５、４５を設けてゴム紐を挿入し、ホルダ４１の少なくとも上半部を伸縮自在にしておく。また、前記スライドファスナの部材４３ａ、４３ｂを被うカバー４４を設け、幼児に直接当たるのを防止しておく。このカバー４４は、スナップボタン４４ａの係止によって、被覆状態が保持される。
【００１７】
前記腰ベルト２１の内面中央部に設けられたポケット２３には、一対の補助バンド４６、４６が収納されている。図２はこれらの補助バンド４６、４６をポケットから引き出しベースシート１１の方向に延ばした状態を示す。それぞれの補助バンド４６の一端は腰ベルト２１に固着され、他端には雄バックル４６ａがスライド可能に取り付けられている。それぞれのバックル４６ａは、前記補助ホルダ４１のＹ字状突出部４２に固着された雌バックル４２ｂと係脱可能になっている。
【００１８】
図４に示すように、前記バックシート１１の裏面には、図１において説明したスナップボタン列１４ａに係合するスナップボタン列１４ｂが設けられ、バックシート１１の上端部を裏面側に折り曲げてスナップボタン列１４ａと１４ｂを係合することにより、上端部を短くすることができるようになっている。また、バックシート１１の中央部全面に設けた通気性シート１２の領域とほぼ同じ領域を占めるように、通気性の少ない遮蔽シート１７を裏面から重ね合わせ、その３辺にスライドファスナ１７ａを取り付けてシート１７を開閉できるようにしてある。これによって、通気性シート１２の通気性を遮断または開放することができる。なお、遮蔽シート１７を全面開放したとき、シート１７を丸めてスナップボタン１５ｂ、１５ｂに係止することができるように、シート１７にスナップボタン（図４、点線）を設けておくことができる。さらに、図１で説明した舌片１５、１５を裏面に折り返して、その先端に設けたスナップボタン１５ａを、バックシート１１の裏面に設けたスナップボタン１５ｂ、１５ｂに係合すると、バックシート１１の下端部分の幅を狭くできるようになっている。
【００１９】
図２に示すように、前記バックシート１１の上端に、幼児の頭部に装着するフード５１を取り付けることができる。このフード５１は、柔軟で通気性の良好な布地で球面状に形成されたキャップ部材５２と、キャップ部材５２の前面両側に一端が固着された引張りバンド５３、５３から成り、キャップ部材５２の後面下端縁に沿ってスナップボタン列５２ｂが設けられ、このボタン列５２ｂとベースシート１１の上端に設けられたスナップボタン列１４ａとが係合可能になっており、この係合によってフード５１をベースシート１１に取り付けることができる。前記引張りバンド５３、５３は、このようにして取り付けたフード５１が幼児の頭部に適合するよう調整する手段であって、各バンド５３の他端には、抜け止め用ストッパ５３ｂが設けられ、バンド５３を肩ベルト３１の外面に設けられたＤ環３８に挿通した後、Ｄ環３８に引掛かるようになっている。また、バンド５３には、所定間隔で複数個のスナップボタン５３ａが固着され、肩ベルト３１の前記ループ３８近辺に固着されたスナップボタン３８ｂと係合可能になっている。即ち、バンド５３のスナップボタン５３ａのうちの一個と肩ベルト３１のスナップボタン３８ｂを係合することによって、フード５１の前面と肩ベルト３１の距離が一定に保たれ、フード５１の後面はスナップボタン列５２ａとバックシート１１のスナップボタン列１４ａとの係合によって位置が固定されているので、フード５１の位置が保持される。勿論この位置は、フード５１のスナップボタン５３ａの選択によって変更調整可能である。なお、キャップ部材５２の両側縁全長にわたって中空ギャザ５４、５４を形成し、その内部にゴム紐を挿入して伸縮自在にしておくのがよい。
【００２０】
次に係脱可能の雄雌バックルの構造を説明する。図５に示すように、雄バックル１は、基部１ａにバンドＴを接続する挿通孔１ｂ、１ｃとバー１ｉを有し、この基部１ａからガイドロッド１ｄを中央にして係止ロッド１ｅ、１ｆがほぼ平行に延びている。これらの係止ロッド１ｅ、１ｆは弾性を有し、先端部１ｇ、１ｈ（ドットで示す）は膨出しておりかつ段差が設けられている（図６参照）。一方、雌バックル２は、基部２ａにバンド接続孔２ｂ、２ｃとバー２ｉを有し、基部２ａから中空受口２ｄが一体に形成され、その両側に中空受口２ｄと連通する開口２ｅ、２ｆが設けられている。これらの開口２ｅ、２ｆの先端（図の左方）には、中空受口２ｄの厚み方向内側に突出する突起２ｇ、２ｈが形成されている（図６（Ｂ）参照）。そして、図５（Ｂ）のように、雄バックル１のロッド１ｄ、１ｅ、１ｆを雌バックル２の受口２ｄに挿し込むと、係止ロッド１ｅ、１ｆの先端部１ｇ、１ｈに設けられた段差が前記開口２ｅ、２ｆの先端の突起２ｇ、２ｈに係合し、ロッド１ｅ、１ｆの弾性によって抜け止めされる。また、図示のように、雌バックル２の両側の開口２ｅ、２ｆから係止ロッドの先端部１ｇ、１ｈが露出しているので、この部分を図５（Ｂ）の矢印方向に手指で押し込むと、前記突起２ｇ、２ｈと先端部１ｇ、１ｈの段差との係合が外れ、ロッド１ｄ、１ｅ、１ｆを中空受口２ｄから引き抜くことができる。
【００２１】
上記のようなバックルをバンドに取り付ける際に、図６（Ａ）のように位置を移動できるように取り付けるか、或は図６（Ｂ）のように固定位置に取り付けるかは、用途に応じて選択可能である。図６（Ａ）に示すように、バンドＴの一端にストッパＳを設け、バンドＴを接続孔１ｂと１ｃの両方を挿通するように通過させると、バンドＴの一端を矢印方向に引張るか或は緩めることによって雄バックル１をバンドＴに沿ってスライドさせることができる。また、スライドした位置において、バックル１に負荷が加わるとバンドＴが断面３角形状のバー１ｉに引掛かり（図６（Ａ））、バックル１はその位置で停止する。なお、バンドＴはできるだけ摩擦力の大きい織物類を用いるのが好ましい。バックル１を定位置に保持するときは、図６（Ｂ）に示すように、バンドＴをいずれかの接続孔１ｂまたは１ｃに通して一端を縫目Ｌにより固着すればよい。
【００２２】
上記のような雄バックル１と雌バックルの構造及びバンドとの接続態様は、図１及び図２について説明した全ての雄バックル１６ａ、２２ａ、３２ａ、３５ａ、３７ａ、４６ａ及び雌バックル２２ｂ、３１ｂ、３２ｂ、３６ｂ、４２ｂについて実質的に共通している。また、図１について説明した肩ベルト３１のスライドバックル３４ａは、図７に示すような構造である。即ち、挿通孔３４ｂ、３４ｃを有する本体の両端にそれぞれスリットを有する接続部３４ｄ、３５ｅが設けられている。このスライドバックル３４ａの挿通孔３４ｂ、３４ｃにガイドバンド３４を図７（Ｂ）のように通し、このガイドバンド３４と交差するように、バンド３５を接続部３４ｄのスリットからガイドバックル３４ａの下面を通過しさらに接続部３４ｅのスリットを通して上面に引き出すと、接続バンド３５の図の上下方向位置をガイドバンド３４に沿って変更することができる。
【００２３】
次に、子守帯の使用方法について以下に述べる。まず基本的な背おい抱き、所謂「おんぶ」について説明する。図８に示すように、肩ベルト３１、３１から延びる脇ベルト３２、３２のバックル３２ｂ、３２ｂをバックシート１１のバックル１６ａ、１６ａに係止した状態で、補助ホルダ４１のバックル４２ｂ、４２ｂを肩ベルト３１、３１のバックル３７ａ、３７ａから取り外し、ベースシート１１の対向側（図の下方）に拡げる。また、肩ベルト３１、３１の間隔を制限するバンド３５、３６のバックル３５ａ、３６ｂの係合も外しておき、腰ベルト２１のバックル２２ａと２２ｂの係合も解除しベルト２１を拡げておく。この準備作業は、例えばベッドや椅子などの適当な高さと広さを有する台板上で行なうのがよい。そして幼児Ｂをバックシート１１の上に寝かせ、図９に示すように、補助ホルダ４１を幼児Ｂの腹部から胸部に被せてホルダ４１のバックル４２ｂ、４２ｂを肩ベルト３１、３１のバックル３７ａ、３７ａに係合し、バックシート１１とホルダ４１との間に幼児Ｂを保持する。この状態で図１０に示すように、肩ベルト３１、３１を使用者Ｍの両肩に掛け脇ベルト３２、３２を使用者Ｍの脇下に通して幼児Ｂを背負う。さらに肩ベルト３１、３１の間隔を制限するバンド３５、３６の雄雌バックル３５ａと３６ｂを係合し、肩ベルト３１、３１の間隔が必要以上に拡がらないよう、バンド３５の自由端を引張り、または緩めて調整する。そして腰ベルト２１を腰廻りに巻回し、そのバックル２２ａ、２２ｂを係合し、確実に腰廻りに保持されるようバンド２２の自由端によって調整する。なお、脇ベルト３２の自由端３２ｃは、子守帯１０を装着した使用者Ｍの前面両側に垂れ下るような長さに予め設定してあるので、子守帯１０を装着後にそれぞれ手で引張りまたは緩めることによって、肩ベルト３１と脇ベルト３２による肩掛け手段３３のループの大きさを調整することができる。また、図２で説明したフード５２を取り付けておくと、幼児Ｂの睡眠時などに引張りバンド５３、５３をＤ環３８から前方に引張ることによって、フード５１が幼児Ｂの頭部を定位置に持ち上げ、スナップボタン５３ａをスナップボタン３８ｂに係止することにより、球面状キャップ部５２が幼児Ｂの頭部とその位置を保持するので、幼児Ｂの頭部が身体から極端に傾いたり、揺らぐのを防止することができる。
【００２４】
次に幼児と使用者が対面する、対面抱きについて説明する。まず、図１１に示すように、肩ベルト３１と脇ベルト３２による肩掛け手段３３のループを維持したままで、補助ホルダ４１のバックル４２ｂ、４２ｂを肩ベルト３１、３１の基部に設けたバックル３７ａ、３７ａに係合してバックシート１１に補助ホルダ４１を重ね合せる。また、腰ベルト２１のバックル２２ａと２２ｂの係合は外しておく。この状態で、使用者Ｍは、図１２のように腰ベルト２１に向き合って腰ベルト２１の両端を腰部の後方に廻し、背骨の下端部付近でバックル２２ａと２２ｂを係合する。これによって、バックシート１１と補助ホルダ４１及び両肩掛け手段３３、３３は使用者Ｍの前方大腿部上に拡げられた状態になる。そこで、図１３に示すように、使用者Ｍはベッドや椅子などの適当な台座に坐って、抱えた幼児Ｂをバックシート１１の上に載せ、図１４のように、使用者Ｍの前面から肩ベルト３１、３１を肩に掛けてバックシート１１と共に幼児Ｂを抱き上げ、図１５に示すように、使用者Ｍの背面でバンド３５のバックル３５ａとバンド３６のバックル３６ｂを係合し、肩ベルト３１、３１の間隔を保持する。さらに、図１６に示すように、脇ベルト３２の自由端３２ｃを引張り、或は緩めて、肩ベルト３１と脇ベルト３２で形成される肩掛け手段３３のループ（図１）のフィット程度を調整する。
【００２５】
幼児Ｂが使用者Ｍの前方を向くように抱く前面抱きの場合は、以下の通りである。図１７に示すように、準備作業として、バックシート１１に補助ホルダ４１を重ね合せた状態で、バックシート１１上端のスナップボタン列１４ａの部分を後面へ折り返し、スナップボタン列１４ａと１４ｂを係合し、バックシート１１の上端を二つ折りにして低くしておく。さらに、バックシート１１の下端両側に設けた舌片１５、１５を後面に折り返してそのスナップボタン１５ａ、１５ａをスナップボタン１５ｂ、１５ｂに係合し、バックシート１１の下端部の幅を狭くしておく。この状態で図１２と同様に使用者Ｍは腰ベルト２１を腰部に巻回し、バックル２２ａ、２２ｂを背面で止着してバックシート１１及び肩ベルト３１、３１を使用者Ｍの前面に展開する。そして、図１８のように、使用者Ｍは、例えば椅子などに座り、幼児Ｂを抱き上げて、展開したバックシート１１（補助ホルダ４１はその上に重なり合っている）の上に載せ、バックシート１１を幼児Ｂの前面に当てがいながら肩ベルト３１、３１を取り上げて肩に掛け、図１５と同様に背面で間隔制限バンド３５、３６のバックル３５ａ、３６ｂを係止する。これによって、図１９に示すように、幼児Ｂは、使用者Ｍの前面において、前方を向いた状態で抱持されるが、このとき、バックシート１１上端のスナップボタン列１４ａ、１４ｂによって二つ折りにされているので、幼児Ｂの顔がバックシート１１によって隠れることがなく、また、バックシート１１の下端部は、舌片１５を折り畳むことによって幅が狭くなり、幼児Ｂの股下にフィットしている。なお、以上の対面抱き及び前面抱きにおいて、補助ホルダ４１はベースシート１１に重ねた状態で使用したが、勿論補助ホルダ４１とベースシート１１の間に幼児を保持するようにしてもよい。補助ホルダ４１の使用方法は、背おい抱きの場合と同様である。
【００２６】
次に、使用者Ｍが椅子などに座ったままで幼児を抱く方法について説明する。まず、補助ホルダ４１の上端両側のバックル４２ｂ、４２ｂと肩ベルト３１、３１のバックル３７ａ、３７ａとの係合を外して、バックシート１１と補助ホルダ４１との重ね合せ状態を自由にする。即ち補助ホルダ４１は、その下端縁のみバックシート１１に固着され、残余はバックシート１１から遊離している。このとき補助ホルダ４１の中途部分に設けたスライドファスナ４３ａ、４３ｂは係合されているので、この係合を解いて、図３（Ａ）のように補助ホルダ４１を展延する。そして、図１２において説明したように、腰ベルト２１を腰廻りに巻回しバックル２２ａと２２ｂを背面で係合してバックシート１１、補助ホルダ４１、肩ベルト３１、３１を前方に展開する。また、腰ベルト２１に設けたポケット２３から、一対の補助バンド４６、４６を取り出しておく（図２参照）。ここで図２０に示すように、使用者Ｍは椅子などに座り、補助ホルダ４１の上に幼児Ｂを載せ、補助ホルダ４１を両脚の間から前面に当てがい突出部４２、４２を脇の下から後方へ通して、先に取り出しておいた補助バンド４６、４６のスライド雄バックル４６ａ、４６ａと、補助ホルダ４１の突出部４２、４２の雌バックル４２ｂ、４２ｂを係合する。このとき、幼児Ｂの脚まわりにベルト４６、４６がしっかりフィットするようにバックル４６ａ、４６ａを調節する。このようにすると、図２１のように、補助ホルダ４１と補助ベルト４６、４６によって幼児Ｂの下半身は確実に保持され、補助ホルダ４１の一端縁はバックシート１１に固着されているので、幼児Ｂは手足及び上半身を自由に動かせることができると同時に、椅子などから落下することはなく、食事や団らん時などの使用に便利である。なお、バックシート１１を椅子などの座部に載せ、腰ベルト２１を椅子の背凭れに巻回して固定すると、補助ホルダ４１によって、幼児Ｂ単独で椅子に座らせることができる。
【００２７】
上述したバックシート１１と補助ホルダ４１を用いた幼児の抱持方法は、特に首や腰の安定しない新生児のような乳幼児については適用し難い。そこで、新生児を包囲して安全に保護することができる用具について説明する。図２２、図２３は、このようなボックス体６１の展開図である。図示のように、長方形状のベースパネル６２の両側には、側面パネル６３、６３が折り目を介して屈曲自在に設けられ、上端には台形状フードシート６４、下端にはボトムパッド６５が折り目を介して屈曲自在に接続され、このボトムパッド６５の外端にはさらにＹ字状の腹当てシート６６が接続されている。前記ベースパネル６２の上部３分の２程度は、半硬質または硬質板状体と発泡樹脂等の弾性体を積層し外面全面を織布で被覆したもの、下部６２ａは弾性体を織布で被覆したものより成り、両側面パネル６３、６３は弾性体を織布で被覆したもの、ボトムパッド６５は半硬質板状体に比較的厚い弾性体を積層し、織布で被覆したもの、腹当てシート６６は綿などの吸水性、通気性のある材料を織布外被内に充填したもの、フードシート６４は柔軟な織布より成る。
【００２８】
前記側面パネル６３、６３の一方の外側縁中間部分に、側面パネル６３、６３を起立した状態に保持するための間隔保持バンド６７の一端が固着され、このバンド６７にスライドバックル６７ｃが取り付けられている。このバックル６７ｃから延びるバンド６７の他端近辺にスナップボタン６７ａが固着され、バンド６７の一端の固着位置に対応して、他方の側面パネル６３の外側縁近辺に、前記スナップボタン６７ａと係合可能のスナップボタン６７ｂが取り付けられている。また、両側面パネル６３、６３には、フードシート６４の上端部両側に設けられたスナップボタン６４ａ、６４ａと係合するスナップボタン６４ｂ、６４ｂが上端部外面に取り付けられ、腹当てシート６６の突出部６６ｃ、６６ｃに設けられたスナップボタン６６ａ、６６ａに係合するスナップボタン６６ｂ、６６ｂが下端部外面に取り付けられている。
【００２９】
前記バックシート１１にボックス体６１を取り付けるために、前記側面パネル６３、６３の一方に、一対のループ６８、６８がパネルの長さ方向に設けられ、他方にも一対のループ６９、６９が長さ方向に設けられている。これらのループ６８、６９は、いずれも、柔軟な紐部材の両端を側面パネル６３に固着し、中間部分をパネル６３から遊離させた構造になっており、ボックス体６１をほぼ水平方向に装着するためのループである。また、側面パネル６３、６３の長さ方向中間部分に、前記肩ベルト３１、３１にボックス体６１をほぼ垂直方向に装着するために用いるループ７０、７０が取り付けられている。このループ７０は、それぞれ柔軟な紐部材より成り、その一端は側面パネル６３に固着され、他端にはスナップボタン７０ａが設けられて、側面パネル６３に取り付けられたスナップボタン７０ｂと係脱可能になっている。なお、ループ７０、７０の紐部材は、図２２の上方に向って互に近づくように傾斜させて取り付けるのが好ましい。
【００３０】
上記ボックス体６１を組立てるには、図２４、図２５に示すように、両側面パネル６３、６３をベースパネル６２に対して所定角度で起立させ、間隔保持バンド６７の端部に設けたスナップボタン６７ａをスナップボタン６７ｂに係合し、側面パネル６３、６３の起立状態を保持する。このとき、スライドバックル６７ｃを移動させて、側面パネル６３、６３のベースパネル６２に対する起立角度を調整することができる。次いで、ボトムパッド６５をベースパネル６２とほぼ直角に起立させ、このボトムパッド６５から延びる腹当てシート６６をさらに、ベースパネル６２の上に被せるようにボトムパッド６５とほぼ直角に折り曲げ、その突出部６６ｃ、６６ｃ先端の雄バックル６６ａ、６６ａを、側面パネル６３、６３の雌バックル６６ｂ、６６ｂに係止する。そして、フードシート６４を起立した両側面パネル６３、６３の上端縁を被い覆せるように折り返して、そのスナップボタン６４ａ、６４ａを、両側面パネル６３、６３のスナップボタン６４ｂ、６４ｂに係止する。
【００３１】
上記のようなボックス体６１の使用法について説明する。なお、ここでは、先に幼児をボックス体６１に収容した後に子守帯１０に装着するものと考えて説明するが、勿論子守帯１０に装着した後に、幼児をボックス体６１に収容してもよい。図２４及び図２５について説明したように、ボックス体６１を組立てた後、図２６に示すように、使用者Ｍは腰ベルト２１を後（うしろ）巻き（背後でバックル２２ａと２２ｂを止着する）にし、バックシート１１を膝の上に拡げた状態で椅子などに座り、ボックス体６１をその上に横方向に載せる。幼児Ｂはボックス体６１内において、ボトムパッド６５を幼児Ｂのクロッチ部に当てがわれ、腹当てシート６６の両側縁と側面パネル６３、６３の端縁によって形成される開口６６ｄ、６６ｄ（図２４、図２５参照）から両脚が突出している。そこで、バックシート１１に重なり合っている補助ホルダ４１の突出部４２、４２を、ボックス体６１の外方側面パネル６３に設けられたループ６９、６９に通し、先端のバックル４２ｂ、４２ｂと肩ベルト３１、３１の基部に設けられたバックル３７ａ、３７ａに係止する（図２参照）。さらに、図２７に示すように、腰ベルト２１のポケット２３内から補助バンド４６、４６を取り出して、ボックス体６１の内側（使用者Ｍに近い側）の側面パネル６３のループ６８、６８に挿し通し、それらの先端のバックル４６ａ、４６ａと肩ベルト３１、３１の先端から延びる脇ベルト３２、３２の先端に設けられたバックル３２ｂ、３２ｂとを係合する。こうしてボックス体６１は、バックシート１１の上面に安定して装着され、肩ベルト３１、３１はボックス体６１の上面にまたがっているので、図２８に示すように、これらのベルト３１、３１を使用者Ｍの肩に掛け、間隔保持バンド３５のバックル３５ａとバンド３６のバックル３６ｂを肩の背後で係止して肩ベルト３１、３１が肩から滑り落ちるのを防止する。
【００３２】
通常、新生児は、上述のような横抱きが安全であるが、多少首や腰のすわりが安定してきた乳幼児に前記ボックス体６１を用いて縦抱きすることができる。図２９に示すように、幼児Ｂの股下にボトムパッドを当てがってＹ字状腹当てシート６６の突出部６６ｃ、６６ｃを側面パネル６３、６３に係止する（図２２参照）。また、間隔保持バンド６７によって側面パネル６３、６３の起立状態を維持する。幼児Ｂは、ベースシート６２に背中を支持され側面パネル６３、６３によって頭部から下半身の側面が保護され、胸部はバンド６７によって前方に倒れるのを阻止され、腹部は腹当てシート６６に被われ、両脚部は腹当てシート６６の両側縁から突出した状態でボックス体６１に収容される。なお、この場合は、フードシート６４は用いなくてもよい。一方、図３０に示すように、子守帯１０の肩ベルト３１、３１と脇ベルト３２、３２は、ベースシート１１の側縁に設けたバックル１６ａ、１６ａとの係合によって通常の肩掛け手段３３、３３を形成し、補助ホルダ４１もベースシート１１に重なり合った状態にしておく。このベースシート１１上に幼児Ｂを収容したボックス体６１を縦に載置し、ボックス体６１の側面パネル６３、６３に設けられたループ７０、７０を前記肩ベルト３１、３１の基部周囲に巻き付け、スナップボタン７０ａ、７０ａを係止することによって、ボックス体６１を肩ベルト３１、３１に取り付ける。この状態で使用者Ｍは、腰ベルト２１を腰の背後に回してバックル２２ａと２２ｂを係止し、図３１に示すように、使用者Ｍは肩ベルト３１、３１を肩に掛け、間隔保持バンド３５、３６のバックル３５ａと３６ｂを背後で係止する。最後に、図３２のように調整バンド３２を引張り、または緩めて肩ベルト３１、３１の締まり程度を調整する。この調整によって、同時に使用者Ｍと幼児Ｂとの対面距離、即ちボックス体６１の縦方向の傾斜を適度に保持することができる。
【００３３】
上述のボックス体６１の使用法は、使用者が単独で操作できることに主眼をおいて説明したが、勿論操作は説明した手順に限定されない。例えば、先にボックス体６１を子守帯１０に装着した後に幼児をボックス体６１に収容してもよい。当然ながら、操作の手順は、ボックス体６１を用いない場合にも、任意に変更することができる。
【００３４】
この発明の構成についても、種々の変更、追加が可能である。例えば図５、６、７に示すバックル類の構造は図示のものに限定されず、雄雌両部材が確実に係合可能で簡単な操作で係合を解くことができる係合手段であれば、種々選択可能である。同様に、スナップボタンやスライドファスナに代えて、フック・アイ（ｅｙｅ）、ボタン・アイ、面ファスナなどの係合具を用いることができる。そのほか、ベースシート１１に通気性シート１２を貼り付けたが無くてもよい。また、フード５１（図２）やフードシート６４（図２２）のほか、保冷剤などの物品を収納するポケットを適当な個所に設けておくことができる。さらに、子守帯１０を折り畳み、その状態を保持するために巻き付ける係止具付きバンドを設けることができる。
【符号の説明】
【００３５】
１  雄バックル
１ａ  基部
１ｂ、１ｃ  挿通孔
１ｄ  ガイドロッド
１ｅ、１ｆ  係止ロッド
１ｇ、１ｈ  先端部
１ｉ  バー
２  雌バックル
２ａ  基部
２ｂ、２ｃ  バンド接続孔
２ｄ  中空受口
２ｅ、２ｆ  開口
２ｇ、２ｈ  突起
２ｉ  バー
１０  子守帯
１１  ベースシート
１２  通気性シート
１３  枠
１４ａ、１４ｂ  スナップボタン列
１５  舌片
１５ａ、１５ｂ  スナップボタン
１６  カバー
１６ａ  バックル
１７  遮蔽シート
１７ａ  スライドファスナ
２１  腰ベルト
２２  バンド
２２ａ  雄バックル
２２ｂ  雌バックル
２３  ポケット
２５ｂ  スナップボタン
３１  肩ベルト
３１ｂ  バックル
３２  脇ベルト
３２ａ  バックル
３２ｂ  バックル
３３  肩掛け手段
３４  ガイドバンド
３４ａ  スライドバックル
３４ｂ、３４ｃ  挿通孔
３４ｄ、３４ｅ  接続部
３５、３６  間隔保持バンド
３５ａ  バックル
３６ａ  バックル
３７  カバー
３７ａ  バックル
３８  Ｄ環
３８ｂ  スナップボタン
４１  補助ホルダ
４２  突出部
４２ｂ  バックル
４３ａ、４３ｂ  スライドファスナ
４４  カバー
４４ａ、４４ｂ  スナップボタン
４５  ギャザ
４６  補助バンド
４６ａ  バックル
５１  フード
５２  キャップ部材
５２ｂ  スナップボタン列
５３  引張りバンド
５３ａ  スナップボタン
５３ｂ  ストッパ
５４  ギャザ
６１  ボックス体
６２  ベースパネル
６２ａ  ベースパネルの下部
６３  側面パネル
６４  フードシート
６４ａ、６４ｂ  スナップボタン
６５  ボトムパッド
６６  腹当てシート
６６ａ、６６ｂ  バックル
６６ｃ  突出部
６６ｄ  開口
６７  間隔保持バンド
６７ａ、６７ｂ  スナップボタン
６７ｃ  スライドバックル
６８、６９  ループ
７０  ループ
７０ａ  スナップボタン
Ｂ  幼児
Ｌ  縫目
Ｍ  使用者
Ｔ  バンド
Ｓ  ストッパ
【要約】
【課題】人手を借りずに使用者単独で子守帯を簡単に装着することができかつ乳幼児を安全に保護することができるようにすることである。
【解決手段】子守帯１０は、ほぼ長方形状縦長のベースシート１１と、その下端縁に沿って固着された腰ベルト２１と、前記ベースシート１１の両側上端部に一端が固着された肩ベルト３１、３１と、肩ベルト３１、３１の他端に連続して延び前記ベースシート１１の側縁中途部分にそれぞれ接続される脇ベルト３２、３２と、前記ベースシート１１の下端縁に一端が固着され他端両側は前記肩ベルト３１、３１の接続部に着脱自在に接続された伸縮性シート状補助ホルダ４１より成り、この補助ホルダ４１は、ベースシート１１に重なり合って両端部以外はベースシート１１から遊離していることを特徴とする。
【選択図】図１【図１】
0005902265.tif 000002
【図２】
0005902265.tif 000003
【図３】
0005902265.tif 000004
【図４】
0005902265.tif 000005
【図５】
0005902265.tif 000006
【図６】
0005902265.tif 000007
【図７】
0005902265.tif 000008
【図８】
0005902265.tif 000009
【図９】
0005902265.tif 000010
【図１０】
0005902265.tif 000011
【図１１】
0005902265.tif 000012
【図１２】
0005902265.tif 000013
【図１３】
0005902265.tif 000014
【図１４】
0005902265.tif 000015
【図１５】
0005902265.tif 000016
【図１６】
0005902265.tif 000017
【図１７】
0005902265.tif 000018
【図１８】
0005902265.tif 000019
【図１９】
0005902265.tif 000020
【図２０】
0005902265.tif 000021
【図２１】
0005902265.tif 000022
【図２２】
0005902265.tif 000023
【図２３】
0005902265.tif 000024
【図２４】
0005902265.tif 000025
【図２５】
0005902265.tif 000026
【図２６】
0005902265.tif 000027
【図２７】
0005902265.tif 000028
【図２８】
0005902265.tif 000029
【図２９】
0005902265.tif 000030
【図３０】
0005902265.tif 000031
【図３１】
0005902265.tif 000032
【図３２】
0005902265.tif 000033